【手続補正書】
【提出日】平成27年2月4日(2015.2.4)
【手続補正１】
【補正対象書類名】明細書
【補正対象項目名】００５９
【補正方法】変更
【補正の内容】
【００５９】
さらに、本発明では、危険な電流がアースまたは保護遮蔽体に流れた場合に、危険な高電圧を即座に遮断する安全回路を使用することができる。例えば、保護遮蔽体（protective earth screen）および内部絶縁層が剥がれた場合に、露出した電源用導体にヒトが触れたら危険な電流がアースまたは出力側の保護遮蔽体に流れ出すので、そうならないように、前記安全回路がトリガされる。
なお、本発明は、実施の態様として以下の内容を含む。
〔態様１〕
ビデオカメラ機器（１）および遠隔機器（７）を備える装置における電気信号を処理するアダプタ（３，５）であって、
−デジタル符号化多重化シリアル変換回路（２２，３５，４４）と、
−前記デジタル符号化多重化シリアル変換回路（２２，３５，４４）に入力部が接続された、少なくとも１つの光送信器（２４，３８，４８）と、
−パラレル変換逆多重化デジタル復号化回路（２６，３２，４５）と、
−前記パラレル変換逆多重化デジタル復号化回路（２６，３２，４５）に出力部が接続された、少なくとも１つの光受信器（２５，３１，５０’）と、
を備えるアダプタ（３，５）において、当該アダプタ（３，５）が、さらに、
−前記デジタル符号化多重化シリアル変換回路（２２，３５，４４）に出力部が接続されており、タイミング基準信号をデジタル表現化したものを調整して調整済みのデジタル表現化タイミング基準信号を生成することができる、タイミング基準信号符号化回路（４２）と、
−プログラム映像出力を遅延させることができる、ビデオフレームシンクロナイザ（４６）と、
−前記プログラム映像出力のタイミングと前記タイミング基準信号符号化回路（４２）によって生成された前記調整済みのデジタル表現化タイミング基準信号とを比較でき、前記タイミング基準信号符号化回路（４２）および前記ビデオフレームシンクロナイザ（４６）の両方を制御でき、前記タイミング基準信号符号化回路（４２）を調整して前記プログラム映像出力のタイミングを前記タイミング基準信号符号化回路（４２）によって生成された前記調整済みのデジタル表現化タイミング基準信号に合致させるか又は前記ビデオフレームシンクロナイザ（４６）を制御して前記プログラム映像出力を前記タイミング基準信号符号化回路（４２）によって生成された前記調整済みのデジタル表現化タイミング基準信号と同期させることができる、ジェネロック監視制御回路（４３）と、
を備えることを特徴とする、アダプタ。
［態様２］
態様１に記載のアダプタにおいて、さらに、前記デジタル符号化多重化シリアル変換回路（２２，３５，４４）に出力部が接続された、第１のセットの少なくとも１つのＡＤ変換器（２１，３６，４９）、を備えることを特徴とする、アダプタ。
［態様３］
態様１または２に記載のアダプタにおいて、さらに、前記デジタル符号化多重化シリアル変換回路（２２，３５，４４）に出力部が接続された、第１のセットの少なくとも１つのデジタルインターフェース（２３，３７，５０）、を備えることを特徴とする、アダプタ。
［態様４］
態様１から３のいずれか一態様に記載のアダプタにおいて、さらに、前記パラレル変換逆多重化デジタル復号化回路（２６，３２，４５）に入力部が接続された、第１のセットの少なくとも１つのＤＡ変換器（２７，３３，４０）、を備えることを特徴とする、アダプタ。
［態様５］
態様１から４のいずれか一態様に記載のアダプタにおいて、さらに、前記パラレル変換逆多重化デジタル復号化回路（２６，３２，４５）に入力部が接続された、第２のセットの少なくとも１つのデジタルインターフェース（２８，３４，４０’）、を備えることを特徴とする、アダプタ。
［態様６］
態様１から５のいずれか一態様に記載のアダプタにおいて、さらに、前記タイミング基準信号符号化回路（４２）に出力部が接続された、第２のセットの少なくとも１つのＡＤ変換器（４１）、を備えることを特徴とする、アダプタ。
［態様７］
態様１から６のいずれか一態様に記載のアダプタにおいて、さらに、前記タイミング基準信号符号化回路（４２）に出力部が接続された、第３のセットのデジタルインターフェース（４１’）、を備えることを特徴とする、アダプタ。
［態様８］
態様１から７のいずれか一態様に記載のアダプタにおいて、さらに、前記ビデオフレームシンクロナイザ（４６）に入力部が接続された、第４のセットのデジタルインターフェース（４７’）、を備えることを特徴とする、アダプタ。
［態様９］
態様１から８のいずれか一態様に記載のアダプタにおいて、さらに、前記ビデオフレームシンクロナイザ（４６）に入力部が接続された、第２のセットの少なくとも１つのＤＡ変換器（４７）、を備えることを特徴とする、アダプタ。
［態様１０］
態様１から９のいずれか一態様に記載のアダプタにおいて、前記タイミング基準信号符号化回路（４２）が、前記調整済みのデジタル表現化タイミング基準信号を生成するために、タイミング基準信号をデジタル表現化したものを遅延させることができる調整手段を含むことを特徴とする、アダプタ。
［態様１１］
態様１から１０のいずれか一態様に記載のアダプタにおいて、前記タイミング基準信号符号化回路（４２）が、前記調整済みのデジタル表現化タイミング基準信号を生成することができ、かつ、タイミング基準信号をデジタル表現化したものを進ませることができる調整手段を含むことを特徴とする、アダプタ。
［態様１２］
態様１から１１のいずれか一態様に記載のアダプタにおいて、前記ビデオフレームシンクロナイザ（４６）が、前記映像プログラム出力をフリーズさせることができ、かつ、画像乱れをマスクすることができることを特徴とする、アダプタ。
［態様１３］
態様１から１２のいずれか一態様に記載のアダプタにおいて、さらに、
−ライン入力（５１）から電力供給を受ける給電回路（５２，５２’）と、
−前記給電回路（５２，５２’）の出力端子（５３，５４）の電位をグランドに対して平衡化することができるハイインピーダンス回路（５５，５６）と、
−前記給電回路（５２，５２’）の２つの前記出力端子（５３，５４）の電位と保護遮蔽体とを比較して、当該出力端子（５３，５４）を絶縁することができる電圧平衡トリップ回路（６０）と、
−前記電圧平衡トリップ回路（６０）が不平衡を検出した場合に駆動される絶縁素子（５９）と、
−過電流が流れると前記出力端子（５３，５４）を切り離すことができる、過電流遮断回路（５７）と、
−各導体に流れる電流間の差が安全閾値を超えると前記出力端子（５３，５４）を絶縁する、残余電流遮断器（５８）と、
を備えることを特徴とする、アダプタ。
［態様１４］
ビデオカメラ機器（１）および遠隔機器（７）を備える装置における電気信号を処理するアダプタシステムであって、
第１のアダプタを備えており、
当該第１のアダプタは、
−デジタル符号化多重化シリアル変換回路と、
−前記デジタル符号化多重化シリアル変換回路に入力部が接続された、少なくとも１つの光送信器と、
−パラレル変換逆多重化デジタル復号化回路と、
−前記パラレル変換逆多重化デジタル復号化回路に出力部が接続された、少なくとも１つの光受信器と、
を含むアダプタシステムにおいて、
当該アダプタシステムが、態様１から１３のいずれか一態様に記載の第２のアダプタ、を備えることを特徴とする、アダプタシステム。
［態様１５］
態様１４に記載のアダプタシステムにおいて、前記第１のアダプタが、さらに、電力変換回路を含むことを特徴とする、アダプタシステム。
［態様１６］
態様１４または１５に記載のアダプタシステムにおいて、前記第１のアダプタおよび前記第２のアダプタが、合成された光信号を複数の互いに独立した光信号に分離することができる波長分割マルチプレクサを含むことを特徴とする、アダプタシステム。
［態様１７］
態様１４から１６のいずれか一態様に記載のアダプタシステムにおいて、前記第１のアダプタと前記第２のアダプタとが、少なくとも１本の光ファイバを有するケーブルによって接続されていることを特徴とする、アダプタシステム。
［態様１８］
態様１４から１７のいずれか一態様に記載のアダプタシステムにおいて、前記第１のアダプタと前記第２のアダプタとが、少なくとも１本の光ファイバと銅導体とを有するケーブルによって接続されていることを特徴とする、アダプタシステム。